(57)【要約】【課題】  座板及び座台のベースプレートを合成樹脂で射出成形して、大量生産による製作コストの節減及びこれら部材のヒンジ結合による相互組立ての容易性を向上させると共に、ユーザーの身体サイズによって肘掛けの幅調節及び高さ調節を同時に行うことができる骨盤保護用椅子を提供する。【解決手段】  座板プレート１０の上面両側に前後一対で形成され、上部に開放された締結溝１１ａがそれぞれ形成された第１ヒンジブラケット１１及び中央部に締結孔１１ｂがそれぞれ形成された第２ヒンジブラケット１１−１と；座台プレート２０の底面にそれぞれ形成され、第１及び第２ヒンジブラケット１１、１１−１と対応して結合されるヒンジピン２１と；第１ヒンジブラケット１１の一側に形成された貫通孔１２を通じて座板プレート１０の下部で第１及び第２ヒンジブラケット１１、１１−１とヒンジピン２１がヒンジ結合された状態を維持する支持体５０と；座板及び座台プレート１０、２０の対向する面にそれぞれ形成されたバネ支持溝１３、２２と；座板プレート１０と座台プレート２０との間に高さ調節可能に設けられ、ヒンジピン２１を中心に座台プレート２０の回転角度を設定するストッパー４０と；を含む。【選択図】  図１
2010532200.tif 000002
【特許請求の範囲】
【請求項１】
スタンドの上部に取り付けられる座板プレートと、前記座板プレートの両側にそれぞれヒンジ結合する座台プレートと、前記座板プレートと座台プレートとの間に設けられて座板プレートに弾性力を提供するバネと、を含む椅子において、
前記座板プレートの上面両側に前後一対で形成され、上部に開放された締結溝がそれぞれ形成された第１ヒンジブラケット及び中央部に締結孔がそれぞれ形成された第２ヒンジブラケットと；
前記座台プレートの底面にそれぞれ形成され、前記第１及び第２ヒンジブラケットと対応して結合されるヒンジピンと；
前記第１ヒンジブラケットの一側に形成された貫通孔を通じて前記座板プレートの下部で前記第１及び第２ヒンジブラケットとヒンジピンがヒンジ結合された状態を維持する支持体と；
前記座板及び座台プレートの対向する面にそれぞれ形成されたバネ支持溝と；
前記座板プレートと座台プレートとの間に高さ調節可能に設けられ、前記ヒンジピンを中心に前記座台プレートの回転角度を設定するストッパーと；を含むことを特徴とする骨盤保護用椅子。
【発明の詳細な説明】
【技術分野】
【０００１】
本発明は骨盤保護用椅子に関するもので、より詳細には座板及び座台プレートのヒンジ結合構造を改良することによって、組立ての容易性を確保し、ユーザーが簡易に座台の回転角度を調節できる骨盤保護用椅子に関するものである。
【背景技術】
【０００２】
通常、椅子はベースプレートからなった座板に一つの座台及び背凭れ、両側二つの肘掛け、下側に一つのスタンド(脚)を取り付けて多様な構成及び形態に製作する。
【０００３】
このような構造の椅子はユーザーの便宜及び健康効果上の理由で、その構造が多様化されている趨勢であり、最近は二つに両分された背凭れまたは座台を有するものが出現している。
【０００４】
また、ユーザーの安楽さを目的に弾性力を付加して椅子を製作している。本発明と特に対応できるものとして、例えば特許文献1には一つの座板上に両分され、中心側が上下に流動する座台を有する骨盤保護用椅子が開示されている。
【０００５】
前述した特許文献１に開示された椅子の場合、通常金属材をプレス加工した座板のベースプレート上に溶接によりベースヒンジを付着し、これに締結孔及びストッパーを備えた基台ヒンジが下側に設けられた座台支持台をヒンジピン(離脱防止のための固定クリップピンを含む)によりベースヒンジに固定して締結する。この時、座台支持台の下側にはバネ結合部が形成されており、この結合部にはバネが結合されて中心方向に弾性力を提供するようになる。そして、座台支持台の上面には座台が載置されて締結される。
【０００６】
前述した特許文献1に開示された椅子の組立ては、締結空間の理由で座台支持台に座台をまず結合した状態で、座台支持台をベースヒンジに締結する。この時、座台支持台の下側には弾性力を提供する板バネが平坦に介在しなければならないため、板バネを圧縮した状態でベースヒンジ及び支持台ヒンジの締結孔を合せてヒンジピンを締結する。
【０００７】
しかし、前述した特許文献1に開示された椅子は様々な問題点がある。
【０００８】
すなわち、金属材からなった鉄板をプレス加工して成形した座台支持台、及び座台を結合するための座台支持台を別途に製作するため、製造コストが上昇すると共に、座台支持台上に載置されるベースヒンジの溶接時に、位置合わせ、特に座台及び座台支持台をベースヒンジに締結する作業が難しい問題がある。
【０００９】
また、使用後に前述した構成要素の間の締結が緩くなり、相互接触時に摩擦により騷音が発生する原因になる。そして、板バネを長時間使用すると、弾性力の低下によりバネの取り替え時、座台支持台を分離しなければならないなどといったメンテナンス問題がある。
【００１０】
また、前述した特許文献1の椅子はユーザーの身体サイズによる肘掛けの幅及び高さに対する問題を全く考慮しない構造的な問題がある。
【先行技術文献】
【特許文献】
【００１１】
【特許文献１】韓国登録特許第１０−０６５４９１８号（２００６年１１月３０日登録）
【非特許文献】
【００１２】
【非特許文献１】なし。
【発明の概要】
【発明が解決しようとする課題】
【００１３】
従って、本発明は前述したような諸問題点を解決するためになされたもので、その目的は座板プレートと座台プレートを迅速に、且つ容易に組立てることができる骨盤保護用椅子を提供することにある。
【課題を解決するための手段】
【００１４】
前述の目的を達成するための本発明に係る骨盤保護用椅子は、スタンドの上部に取り付けられる座板プレートと、前記座板プレートの両側にそれぞれヒンジ結合する座台プレートと、前記座板プレートと座台プレートとの間に設けられて座板プレートに弾性力を提供するバネと、を含む椅子において、前記座板プレートの上面両側に前後一対で形成され、上部に開放された締結溝がそれぞれ形成された第１ヒンジブラケット及び中央部に締結孔がそれぞれ形成された第２ヒンジブラケットと；前記座台プレートの底面にそれぞれ形成され、前記第１及び第２ヒンジブラケットと対応して結合されるヒンジピンと；前記第１ヒンジブラケットの一側に形成された貫通孔を通じて前記座板プレートの下部で前記第１及び第２ヒンジブラケットとヒンジピンがヒンジ結合された状態を維持する支持体と；前記座板及び座台プレートの対向する面にそれぞれ形成されたバネ支持溝と；前記座板プレートと座台プレートとの間に高さ調節可能に設けられ、前記ヒンジピンを中心に前記座台プレートの回転角度を設定するストッパーと；を含むことを特徴とする。
【発明の効果】
【００１５】
前述した構成を有する本発明によれば、座板プレートに形成されたバネ支持溝にバネを装着した状態で座板プレートに形成された第１及び第２ヒンジブラケットと、これに対応する位置の座台プレートに形成されたヒンジピンを締まりばめ方式で１次結合した後、支持体を利用して２次結合することによって、互いに固く結合状態を維持できる。
【００１６】
従って、従来のようにバネをいちいち手作業で矯正したりヒンジピンとヒンジ孔の正確な結合位置を設定する必要がないので、座板プレートと座台プレートとの間の組立てを迅速に、且つ容易に行うことができる。
【００１７】
また、本発明は座板プレートと座台プレートとの間に任意の高さ調節が可能なストッパーが螺合されているので、ユーザーが簡易に座台プレートの回転角度を調節できる。
【図面の簡単な説明】
【００１８】
【図１】本発明に係る骨盤保護用椅子を示した正面図である。
【図２】本発明に係る骨盤保護用椅子の凹部を示した分解斜視図である。
【図３】本発明に係る座板及び座台プレートのヒンジ結合構成を示した断面図である。
【図４】本発明に係る肘掛けの結合状態を示した断面図である。
【発明を実施するための最良の形態】
【００１９】
以下、添付した図面を参照して本発明の骨盤保護用椅子をより詳細に説明する。
【００２０】
図１は本発明に係る骨盤保護用椅子を示した正面図であり、図２は骨盤保護用椅子の要部を示した分解斜視図である。
【００２１】
これらの図面に示すように、本発明に係る椅子の技術的特徴は、座板及び座台プレートのヒンジ部分を迅速に、且つ容易に結合できるようにし、座台プレートの回転角度をユーザーが簡易に調節できるように構成したことにある。
【００２２】
また、座板及び座台プレート１０、２０をプレス成形でなく射出成形で製作し、大量生産により製造コストを節減できる。
【００２３】
従って、座板プレートに装着されるスタンド８０及び背凭れ９０などの構成に対する詳細な説明は省略する。
【００２４】
本発明は座板プレート１０、及び座台プレート２０に大別され、付加的に座台プレート２０には弾性力によりクッション感を提供するためのコイルバネ３０、座台プレート２０の回転角度を調節できるストッパー４０、座板及び座台プレート１０、２０のヒンジ結合状態を維持する支持体５０、コイルバネ３０の離脱を防止するバネ支持板６０などを含む。また、座板プレート１０の両側に装着される肘掛け７０は幅及び高さを同時に調節できるように形成されている。
【００２５】
前述したような座板プレート１０は合成樹脂材でほぼ四角板状に射出成形される。従って、既存の溶接方式で製作する複雑なヒンジ部の構成を自動化方式で容易に製作できる。
【００２６】
座板プレート１０上の四方角には第１及び第２ヒンジブラケット１１、１１−１が一体に成形される。第１ヒンジブラケット１１は正面で見て両側に分割されており、第２ヒンジブラケット１１−１と対称に対をなして前後一対ずつ配設される。
【００２７】
第１及び第２ヒンジブラケット１１、１１−１は座板プレート１０上に並べて垂直に立設され、所定の間隔を置いて前後に離間している。第１ヒンジブラケット１１には座台プレート２０に一体に形成されるヒンジピン２１が上側から締結されるもので、上方に開放された状態の締結溝１１ａが形成されており、第２ヒンジブラケット１１−１の板中央部には締結孔１１ｂが形成されている。
【００２８】
そして、座板プレート１０上には第１ヒンジブラケット１１に近接して貫通孔１２が形成される。貫通孔１２の下側には締結孔１１ｃを有する支持体５０が挿設される。結合時にヒンジピン２１が挿入できるように、締結孔１１ｃは第１及び第２ヒンジブラケット１１、１１−１の締結溝１１ａ及び締結孔１１ｂと中心が一致して配設される。
【００２９】
そして、座板プレート１０上には第１及び第２ヒンジブラケット１１、１１−１の内側にバネ支持溝１３が形成され、そのバネ支持溝１３にはコイルバネ３０が結合される。
【００３０】
座台プレート２０の底面には第１及び第２ヒンジブラケット１１及びバネ支持溝１３と対応して結合されるヒンジピン２１及びバネ支持溝２２が一体に形成される。
【００３１】
ここで、座台プレート２０は座板プレート１０と同様に合成樹脂材で射出成形される。また、座台プレート２０の上面にはクッション部材をさらに設けてクッション層を形成できる。
【００３２】
ヒンジピン２１は座台プレート２０の底面に垂直に突設された板状体の中央孔に貫設される。この時、ヒンジピン２１は板状体を中心に一端部は長く、また他端部は短くして板状体と一体に成形する。座板プレート１０のヒンジブラケット１１に結合する時、ヒンジピン２１の長い端部は締結溝１１ａに設けると共に、先端は支持体５０の締結孔１１ｃに挿設される。
【００３３】
座板及び座台プレート１０、２０の結合時、第１及び第２ヒンジブラケット１１、１１−１とバネ支持溝１３との間の座板プレート１０上には、ヒンジ部により回転する座台プレート２０の回転角を調節できるようにストッパー４０が設けられる。
【００３４】
ストッパー４０はボルトを緩め締めることによって上部に突出される高さが 調節され、その上面が座台プレート２０の底面を支持する形態で構成される。それによって、ストッパー４０の高低によって座台プレート２０の一側が下方に回転することを阻止する。
【００３５】
一方、バネ支持溝１３に設けられたコイルバネ３０により座台プレート２０に弾性力を提供するため、座台プレート２０が押し上げられる過程で、コイルバネ３０が外部に離脱する恐れがある。これを防止するため、バネ支持溝１３の一側にはバネ支持板６０を設ける。薄板状のバネ支持板６０の一端部はボルトで座板プレート１０に螺合され、他端部はコイルバネ３０の下側に挿入されて、コイルバネを保持する。これによって、コイルバネ３０が上部に離脱することを防止できる。
【００３６】
座板プレート１０には肘掛け装着部１７が一体に射出成形される。
【００３７】
肘掛け装着部１７は座板プレート１０の両側中央部を［状の凹面に成形して構成し、対向する凹面の両縁部１７ａには一定の間隔を置いて多数の結合孔１７ｂを並べて形成する。
【００３８】
肘掛け装着部１７には肘掛け７０が装着される。肘掛け７０の下側締結板７１は凹面の前後広さと同一に形成され、その両端部には肘掛け装着部１７の結合孔１７ｂに対応して複数の結合孔７１ａが形成される。組立てる時、結合孔１７ｂと結合孔７１ａにはボルトを螺合して肘掛け７０を肘掛け装着部１７に装着する。この時、ボルトは両側に二つ程度で十分である。
【００３９】
肘掛け装着部１７の凹面の前後端部１７ａ及び肘掛け７０の下側締結板７１は、外側に行くほど高くなるように傾斜して形成することが好ましい。   
【００４０】
従って、ユーザーの体型によって肘掛け７０を外側に移動して装着することができる。この時、肘掛け７０の幅が広くなると同時に肘掛け７０の高さも高くなるので、ユーザーの体型に合わせて肘掛け７０を構成でき、ユーザーに安楽さを提供できる。
【００４１】
一方、本発明は座台プレート２０だけを両側に回動させた状態で、この座台プレート２０に弾性力を提供するコイルバネ３０を簡単に交換できるなど、メンテナンス作業を容易に行うことができる。
【００４２】
また、ヒンジピン２１が座台プレート２０の底面に一体に成形されるので、座台プレート２０を座板プレート１０に直接結合させることができ、組立て工程が簡易である長所がある。
【００４３】
以下、本発明の骨盤保護用椅子の結合及び使用状態について説明する。
【００４４】
まず、座板プレート１０上に形成されたバネ支持溝１３にコイルバネ３０を載置し、これをバネ支持板６０で固定する。次に、コイルバネ３０の側方には座台の回動を制限するための高さ調節用ストッパー４０を締結する。
【００４５】
以後、座板プレート１０の両側には対向して形成された座台プレート２０をヒンジピン２１でヒンジ結合する。
【００４６】
この時、図３に示すように座台プレート２０の底面に一体に形成されたヒンジピン２１と、長い端部と短い端部を有するヒンジピン２１が一体に成形された板状体を座板プレート１０に形成された両ヒンジブラケット１１、１１−１の間に位置させる。続いて、ヒンジピン２１長い端部を上部開放型の締結溝１１ａに上方から結合すると同時に、短い端部を締結孔１１ｂ内に挿設する。
【００４７】
従って、座板及び座台プレート１０、２０がヒンジ構造により結合されるようになる。この状態で、ヒンジ結合構造の離脱を阻止するために、締結溝１１ａの一側に形成された貫通孔１２には下側から支持体５０を嵌め込む。この時、長い端部の余分のヒンジピン２１を支持体５０の締結孔１１ｃに挿入した後、座板プレート１０上に螺合して固定する。
【００４８】
次に、図４に示したように肘掛け７０を肘掛け装着部１７に装着する過程で、ユーザーの身体サイズに合わせて幅を調節した後、肘掛け７０の下側締結板７１をボルトで締結して固定する。
【００４９】
そして、座板プレート１０に付随的に椅子の基本構成であるスタンド８０の固定部８１、背凭れ９０を固定して装着すると、椅子の組立てが完了する。
【産業上の利用可能性】
【００５０】
以上のように本発明によれば、座板プレートに形成されたバネ支持溝にバネを装着した状態で座板プレートに形成された第１及び第２ヒンジブラケットと、これに対応する位置の座台プレートに形成されたヒンジピンを締まりばめ方式で１次結合した後、支持体を利用して２次結合することによって、互いに固く結合状態を維持できる。従って、本発明の産業利用性はきわめて高いものといえる。
【００５１】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【符号の説明】
【００５２】
１０  座板プレート
１１、１１−１  第１、２ヒンジブラケット
１２  貫通孔
１３  バネ支持溝
１７  肘掛け装着部
２０  座台プレート
２１  ヒンジピン
２２  バネ支持溝
３０  コイルバネ
４０  ストッパー
５０  支持体
６０  バネ支持板
７０  肘掛け
７１  下側締結板
【図１】
2010532200.tif 000003
【図２】
2010532200.tif 000004
【図３】
2010532200.tif 000005
【図４】
2010532200.tif 000006
【国際調査報告】
2010532200.tif 000007
2010532200.tif 000008